(57)【要約】【課題】  メーカーによるよりきめの細かい品質保証を行うことが可能なフォーマット構造を有する情報記録媒体を用いた、検査結果の記録方法を提供する。【解決手段】 プリフォーマットされたリードイン領域１０の欠陥管理領域「ＤＭＡ１＆ＤＭＡ２」に設けられた「ＤＤＳ（Disc DefinitionStructure）」中の「Disc manufacturer certification」領域に２ビット以上の記録容量を有する検査結果表示部４０を設けた情報記録媒体１を用い、当該検査結果表示部４０に、データ記録領域を全面検査したか否か、データ記録領域をサンプリング検査したか否か、サンプリング検査条件等を記録する。【選択図】  図３
2007273089.tif 000002
【特許請求の範囲】
【請求項１】
データ記録領域及び管理領域を有し、前記管理領域内に１バイトのディスク・サーティフィケーション・フラグ領域がある情報記録媒体を用い、当該フラグ領域に前記データ記録領域を全面検査したか否かの情報及び前記データ記録領域をサンプリング検査したか否かの情報と、サンプリング検査条件とを記録することを特徴とする情報記録方法。
【請求項２】
前記データ記録領域を全面検査したか否かの情報及び前記データ記録領域をサンプリング検査したか否かの情報が２ビット以上であることを特徴とする請求項１に記載の情報記録方法。
【請求項３】
前記２ビット以上の前記データ記録領域を全面検査したか否かの情報及び前記データ記録領域をサンプリング検査したか否かの情報を、前記ディスク・サーティフィケーション・フラグ領域中で分散して記録したことを特徴とする請求項２に記載の情報記録方法。
【請求項４】
情報記録媒体の管理領域に情報を記録する方法であって、前記管理領域はディスク・サーティフィケーション・フラグ領域を備え、当該フラグ領域に、前記情報記録媒体のデータ記録領域を全面検査したか否かの情報及び前記データ記録領域をサンプリング検査したか否かの情報と、サンプリング検査条件とを記録することを特徴とする管理領域に情報を記録する方法。
【請求項５】
データ記録領域及び管理領域を有する情報記録媒体であって、前記管理領域内にディスク・サーティフィケーション・フラグ領域があり、当該フラグ領域に前記データ記録領域を全面検査したか否かの情報及び前記データ記録領域をサンプリング検査したか否かの情報と、サンプリング検査条件とが記録され、前記ディスク・サーティフィケーション・フラグ領域を2ヶ所以上備えたことを特徴とする情報記録媒体。
【発明の詳細な説明】
【技術分野】
【０００１】
本発明は、光ディスク、光磁気ディスク、磁気ディスクなどの情報記録媒体のフォーマット構造と、情報記録媒体の管理領域内に検査結果を記録する方法に関する。
【背景技術】
【０００２】
ＩＳＯ規格やＤＶＤ規格においては、光ディスク等の情報記録媒体のフォーマット構造に関し、メーカーによる情報記録媒体の品質保証情報として、データ記録領域を全面検査したか、或いはデータ記録領域の検査を行わなかったかの情報をデータ記録領域中に設けられた管理領域に記録するように定められており、より具体的には、管理領域中に設けられた１ビットの検査結果表示部に、データ記録領域を全面検査した場合には“１”のフラグを、またデータ記録領域の検査を行わなかった場合には“０”のフラグを立てるようになっている。
【発明の開示】
【発明が解決しようとする課題】
【０００３】
ところが、近年のこの種の情報記録媒体は、膨大な記録容量を有するので、データ記録領域を全面検査するためには１面当たり１乃至数時間程度の検査時間を必要とし、大量生産品であるこの種の情報記録媒体を生産段階で全面検査することが事実上困難になっている。このため、特別に高い信頼性が要求される製品を除いては、例えば数トラックおきに情報トラックを検査する等のサンプリング検査によって製品検査を終了することも多くなってきている。
【０００４】
ところが、前記したように、ＩＳＯ規格やＤＶＤ規格に準拠する情報記録媒体を用いた検査結果を記録する方法では、サンプリング検査したか否かの情報やサンプリング検査条件等を記録するための領域が何らフォーマットされていないために、サンプリング検査を行った情報記録媒体についても検査を全く行わなかった情報記録媒体と同様に、管理領域中に設けられた１ビットの検査結果表示部に“０”のフラグを立てざるを得ず、メーカーによるよりきめの細かい品質保証をすることができないという問題がある。
【０００５】
本発明は、かかる事情に鑑みてなされたものであり、その課題とするところは、メーカーによるよりきめの細かい品質保証を行うことが可能なフォーマット構造を有する情報記録媒体とそれを用いた、検査結果を記録する方法を提供することにある。
【課題を解決するための手段】
【０００６】
前記の課題を解決するため、本発明は、データ記録領域及び管理領域を有し、前記管理領域内に１バイトのディスク・サーティフィケーション・フラグ領域がある情報記録媒体を用い、当該フラグ領域に前記データ記録領域を全面検査したか否かの情報及び前記データ記録領域をサンプリング検査したか否かの情報と、サンプリング検査条件とを、記録するようにした。
【０００７】
このように、管理領域内にディスク・サーティフィケーション・フラグ領域がある情報記録媒体を用い、当該フラグ領域にデータ記録領域を全面検査したか否かの情報及びデータ記録領域をサンプリング検査したか否かの情報と、サンプリング検査条件とを記録するようにすると、メーカーによるよりきめの細かい品質保証が可能になるので、ユーザにとっても、使用目的に適合する適正品質の情報記録媒体の選択使用が可能になり、使用する情報記録媒体の不適切による種々の不都合、例えば過剰品質の情報記録媒体を用いることによって発生するランニングコストの上昇や、品質不足の情報記録媒体を用いることによって発生するデータ処理速度の低下等を防止することができる。
【０００８】
なお、前記検査結果表示部であるディスク・サーティフィケーション・フラグ領域に記録する情報は、管理領域内の特定領域に連続的に記録することもできるし、異なる領域に分散して記録することもできる。管理領域内の特定領域に記録容量の余裕がある場合には検査結果表示部であるディスク・サーティフィケーション・フラグ領域を連続的に記録することができ、余裕がない場合には異なる領域に分散して記録することによって記録容量の無駄を回避することができる。
【発明の効果】
【０００９】
本発明は、管理領域内に１バイトのディスク・サーティフィケーション・フラグ領域がある情報記録媒体を用い、当該フラグ領域にデータ記録領域を全面検査したか否かの情報及びデータ記録領域をサンプリング検査したか否かの情報とサンプリング検査条件を記録するようにしたので、メーカーによるよりきめの細かい品質保証が可能になると共に、ユーザにとっても使用する情報記録媒体の不適切による種々の不都合を未然に回避することができる。
【発明を実施するための最良の形態】
【００１０】
以下、本発明に係る情報記録媒体の一実施形態を、図１乃至図３に基づいて説明する。図１は本実施形態例に係る情報記録媒体の平面図、図２は本実施形態例に係る情報記録媒体の断面図、図３は本実施形態例に係る情報記録媒体のフォーマット構造図である。本例は、光ディスク又は光磁気ディスクに本発明を適用したことを特徴とする。
【００１１】
図１及び図２から明らかなように、本例の情報記録媒体１は、ガラスやプラスチックなどの硬質透明材料からなる透明基板２と、当該透明基板２のプリフォーマットパターン形成面に形成された情報記録層３と、当該情報記録層３を覆う保護層４とをもって形成される。
【００１２】
透明基板２は、センタ孔２ａを有する円盤状に形成されており、内面の最内周部分と最外周部分を除くリング状のデータ記録領域５に、微細な凹凸パターンの集合からなるプリフォーマットパターン２ｂが、前記センタ孔２ａを中心とする渦巻状又は同心円状に形成されている。このプリフォーマットパターン２ｂをもって構成される当該情報記録媒体１のフォーマット構造については、後に図３を用いて詳細に説明する。
【００１３】
情報記録層３は、前記データ記録領域５よりもやや広い範囲にわたって、前記透明基板２のプリフォーマットパターン形成面に形成される。この情報記録層３は、所要のヒートモード記録材料又はフォトンモード記録材料からなる記録膜のみからなる単層構造とすることもできるし、前記記録膜と他の薄膜との積層体からなる積層構造とすることもできる。即ち、図２においては、情報記録層３が１層に表示されているが、必ずしも所要のヒートモード記録材料又はフォトンモード記録材料からなる記録膜のみをもって１層に形成する必要はなく、必要に応じて、当該記録膜と他の薄膜、例えば無機誘電体膜（エンハンス膜）や金属反射膜との積層体をもって情報記録層３を構成することもできる。
【００１４】
保護層４は、情報記録層３を機械的衝撃や化学的劣化から保護するものであって、透湿性が低くかつ強度が高いものであれば任意の無機材料又は有機材料をもって形成することができるが、均質にして容易に所要の保護層を形成することができることから、紫外線硬化樹脂をもって形成することが特に好ましい。
【００１５】
以下、プリフォーマットパターン２ｂによって画定される前記情報記録媒体１のフォーマット構造を、図３に基づいて説明する。
【００１６】
図３に示すフォーマット構造は、ＤＶＤ（Digital Versatile Disc）の規格に準拠するものであって、図３（ａ）に示すように、データ記録領域５が、情報記録媒体１の内周側に配置されたリード・イン領域（管理領域）１０と、ユーザが情報の記録や再生等を行うユーザ領域（データ領域）２０と、情報記録媒体１の外周側に配置されたリード・アウト領域（管理領域）３０とからなっており、リード・イン領域１０は、所定の情報が微細な凹凸の形で透明基板２にプリフォーマットされたエンボス・ゾーン１１と、当該情報記録媒体１の反射率を判定するための鏡面からなるミラー・ゾーン１２と、情報記録層３への情報の記録が可能なリライタブル・データ・ゾーン１３とから構成されている。リライタブル・データ・ゾーン領域１３には、欠陥管理領域である「ＤＭＡ１＆ＤＭＡ２」が設けられており、この「ＤＭＡ１＆ＤＭＡ２」は、図３（ｂ）に示すように、２つの欠陥管理領域「ＤＭＡ１」、「ＤＭＡ２」と予備領域である「reserved」とが交互に設けられている。
【００１７】
前記欠陥管理領域「ＤＭＡ１」は、図３（ｃ）に示すように、当該ディスクのプリフォーマット形式を示す「ＤＤＳ（Disc Definition Structure）」と、初期欠陥情報を書き込むための「ＰＤＬ（Primary Defect List）」と、後発的欠陥情報を書き込むための「ＳＤＬ（Secondary Defect List）」とから構成されており、前記「ＤＤＳ」には、図３（ｄ）に示すように、ディスクの品質を保証するための１バイトの「Disc certification flag」領域が設けられていて、当該１バイトの「Disc certification flag」領域は、図３（ｅ）に示すように、２ビット以上の記録容量を有する検査結果表示部４０と、ユーザーによる何らかの保証情報を記録する「User certification」と、予備領域「reserved」とを含んで構成されている。なお、検査結果表示部４０のうちの１ビットは、ＤＶＤ規格における「Disc manufacturer certification」領域を当てることができ、残りの１ビット以上は予備領域「reserved」を当てることができる。検査結果表示部４０への検査結果情報の記録は、プリピットの形で行うこともできるし、情報記録層６への情報記録という形で行うこともできる。
【００１８】
なお、前記欠陥管理領域「ＤＭＡ２」も、ＡＢ面識別情報Ｆの記録領域を有していない点を除いて、前記欠陥管理領域「ＤＭＡ１」と同様に構成される。また、前記リードアウト領域３０にも、前記欠陥管理領域「ＤＭＡ１＆ＤＭＡ２」と同様の欠陥管理領域「ＤＭＡ３＆ＤＭＡ４」が設けられており、これらの各欠陥管理領域「ＤＭＡ３」、「ＤＭＡ４」も、ＡＢ面識別情報Ｆの記録領域を有していない点を除いて、前記欠陥管理領域「ＤＭＡ１」と同様に構成される。
【００１９】
本例の情報記録媒体１は、リード・イン領域１０に備えられた欠陥管理領域「ＤＭＡ１」に２ビット以上の記録容量を有する検査結果表示部４０を設けたので、当該表示部４０に、データ記録領域を全面検査したか否かの情報のみならず、データ記録領域をサンプリング検査したか否かの情報やそのサンプリング検査条件等をも記録することができ、メーカーによるよりきめの細かい品質保証が可能になって、ユーザーにとっても使用する情報記録媒体の不適切による種々の不都合を未然に回避することができる。また、検査結果表示部４０を管理領域であるリード・イン領域１０に設けるので、ユーザー領域２０の記録容量の減少を回避することもできる。
【００２０】
以下、本発明に係る情報記録媒体の他の実施形態例を列挙する。
【００２１】
（I）前記実施形態例においては、リード・イン領域１０に形成された欠陥管理領域「ＤＭＡ１」の「Disc manufacturer certification」領域と「reserved」領域とに検査結果表示部４０を分散して設けたが、本発明の要旨はこれに限定されるものではなく、図４に示すように、予備領域「reserved」にのみ２ビット以上の検査結果表示部４０を連続的に設けることもできる。また、図５に示すように、予備領域「reserved」に２ビット以上の検査結果表示部４０を分散して設けることもできる。
【００２２】
（II）前記実施形態例においては、リード・イン領域１０に形成された欠陥管理領域「ＤＭＡ１」の「ＤＤＳ」領域に検査結果表示部４０を設けたが、本発明の要旨はこれに限定されるものではなく、ミラー・ゾーン１２を除くリード・イン領域１０中の任意の領域に検査結果表示部４０を配置することもできる。
【００２３】
（III）前記実施形態例においては、ＤＶＤの規格に準拠するフォーマット構造としたが、本発明の要旨はこれに限定されるものではなく、ＤＶＤの規格に準拠しないフォーマット構造とすることもできる。この場合にも、リード・イン領域に形成されたいずれかの管理領域に２ビット以上の記録容量を有する検査結果表示部４０を設けることによって、同様の効果を得ることができる。
【００２４】
（IV）前記実施形態例においては、情報記録層３を備えた追記型又は書換型の情報記録媒体を例にとって説明したが、本発明の要旨はこれに限定されるものではなく、情報記録層３に変えて反射層が備えられた読み出し専用型の情報記録媒体にも応用することができる。この場合、検査結果表示部４０に記録される検査結果情報をプリピットの形で所要の管理領域に記録することによって、同様の効果を得ることができる。
【００２５】
（V）前記実施形態例においては、光ディスク又は光磁気ディスクを例にとって説明したが、本発明の要旨はこれに限定されるものではなく、情報記録層３として磁性層が備えられた磁気ディスク等の磁気情報記録媒体にも応用することができる。
【００２６】
（VI）前記実施形態例においては、単板構造の片面記録形情報記録媒体を例にとって説明したが、本発明の要旨はこれに限定されるものではなく、２枚の単板構造の情報記録媒体を貼り合わせてなる貼り合わせ構造の両面記録形情報記録媒体や、１枚の基板の表裏両面に第１の情報記録層と第２の情報記録層とを形成してなる単板構造の両面記録形情報記録媒体にも応用することができる。
【図面の簡単な説明】
【００２７】
【図１】実施形態例に係る情報記録媒体の平面図である。
【図２】実施形態例に係る情報記録媒体の断面図である。
【図３】実施形態例に係る情報記録媒体のフォーマット構造図である。
【図４】他の実施形態例に係る情報記録媒体のフォーマット構造図である。
【図５】さらに他の実施形態例に係る情報記録媒体のフォーマット構造図である。
【符号の説明】
【００２８】
１ 情報記録媒体
２ 透明基板
２ａ センタ孔
２ｂ プリフォーマットパターン
３ 情報記録層
４ 保護層
５ データ記録領域
１０ リード・イン領域（管理領域）
１１ エンボス・ゾーン
１２ ミラー・ゾーン
１３ リライタブル・データ・ゾーン
２０ ユーザ領域（データ領域）
３０ リード・アウト領域（管理領域）
４０ 検査結果表示部
【図１】
2007273089.tif 000003
【図２】
2007273089.tif 000004
【図３】
2007273089.tif 000005
【図４】
2007273089.tif 000006
【図５】
2007273089.tif 000007